(57)【要約】      （修正有）【課題】煩雑な作業を行うこと無く容易に裏板の押えを完了可能であるとともに、額を激しく動かした場合であっても裏板の押えを維持可能な額用の裏板押え具を提供する。【解決手段】略四角形状に枠組みされたフレームと、フレーム内に支持される透明体と、透明体の裏面に備えられる裏板とを具備する額において、裏板をフレームに固定するために用いられる額用裏板押え具１であって、フレーム裏側の任意の個所に固定される取付ベースと、取付ベースに連結される押え部材１１とを具備し、押え部材は、取付ベースに連結される頭部１２と、頭部に連設された脚部１３とを備えるとともに、ストッパー部材２１を進退自在に具備し、頭部を取付ベースに連結することで、脚部によって裏板を透明体側に押圧して裏板を押えることを可能にした。【選択図】図１
0003227975.tif 000002
【実用新案登録請求の範囲】
【請求項１】
略四角形状に枠組みされたフレームと、該フレーム内に支持される透明体と、該透明体の裏面に備えられる裏板とを具備する額において、前記裏板を前記フレームに固定するために用いられる額用裏板押え具であって、
前記フレーム裏側の任意の個所に固定される取付ベース（２）と、
該取付ベース（２）に連結される押え部材（１１）と、を具備し、
該押え部材（１１）は、取付ベース（２）に連結される頭部（１２）と、該頭部（１２）に連設された脚部（１３）とを備えて、前記頭部（１２）を取付ベース（２）に連結することで、前記脚部（１３）によって裏板を透明体側に押圧して裏板を押えることを可能にした、ことを特徴とする額用裏板押え具。
【請求項２】
前記取付けベース（２）は篏合凸部（４）を具備し、前記押え部材（１１）を形成する頭部（１２）は裏側に篏合凹部（１４）を具備し、該篏合凹部（１４）に前記篏合凸部（４）を篏合することで、前記頭部（１２）を取付ベース（２）に連結することとしたことを特徴とする請求項１に記載の額用裏板押え具。
【請求項３】
前記篏合凸部（４）に挿入溝（５）を形成するとともに、該挿入溝（５）に先端部分が挿入可能なストッパー部材（２１）を、前記押え部材（１１）に進退自在に具備し、前記頭部（１２）を取付ベース（２）に連結した状態で前記ストッパー部材（２１）を取付ベース（２）側に前進することで、押え部材（１１）を取付ベース（２）に固定可能としたことを特徴とする請求項２に記載の額用裏板押え具。
【請求項４】
前記ストッパー部材（２１）に係止突起（１９）を形成するとともに、前記押え部材（１１）には、ストッパー部材（２１）が前進する際に前記係止突起の通過を阻害するための通過阻止部を形成し、係止突起（１９）が通過阻止部を通過するまでストッパー部材（２１）を前進させることで、ストッパー部材（２１）の後退を阻止して、取付ベース（２）に押え部材（１１）を固定可能としたことを特徴とする請求項３に記載の額用裏板押え具。
【考案の詳細な説明】
【技術分野】
【０００１】
本考案は、額における裏板を押さえるために用いられる額用裏板押え具に係り、より詳しくは、煩雑な作業を行うこと無く裏板の押えを完了することが可能であるとともに、額を激しく動かした場合でも外れることが無い額用裏板押え具に関する。
【背景技術】
【０００２】
絵画、賞状等の保管に用いられる額は、一般的に、略四角形状に枠組みされたフレームと、このフレームの内周に支持される透明体と、この透明体に裏面から重ね合わされて、絵画、写真等を挟持する裏板とを備えている。そして、裏板は、フレームの任意の箇所に回動自在に備えた「トンボ」といわれる裏板押え具により押さえられている。
【０００３】
即ち、図１２は、この従来から用いられている額３１を裏側から示した図であり、また、図１３は、従来から用いられている額３１の縦断側面を示した図であり、図において３２は、長尺のフレーム材を四角形状に枠組みして形成したフレームである。そして、このフレーム３２の内周には段差部３２０１が形成されており、この段差部３２０１に周縁部が載置されるような配置において、フレーム３２の裏面から、透明体３４が装着されている。また、この透明体３４の裏面には、透明体３４とほぼ同一の寸法形状とした裏板３３が重ね合わされ、使用に際しては、裏板３３と透明体３４との間に、絵画、賞状等３５が挟み込まれる。
【０００４】
そして、このように、絵画、賞状等３５を透明体３４と裏板３３との間に挟み込んだ後に、フレーム３２の任意の箇所に回動自在に備えたトンボ３６を回動させることにより、トンボ３６の一端部で裏板３３を裏側から押えて、これにより裏板３３が外れないようにし、額３１を所望する箇所へ置くことが可能となる。
【０００５】
ところで、前述したように、従来の額では、裏板を押えるためには、また賞状等を取り外すためには、その都度トンボを回動しなければならなかったため、わずらわしさに耐えなかった。
【０００６】
また、従来から用いられているトンボは、フレームに回動自在に備えているため、額を激しく動かしたりした場合にはこれが回転してしまい、裏板の押えが不十分になってしまうという問題点があった。
【０００７】
そのために、従来のこれらのような問題点を解決するために、各種の額用裏板押え具が提案されていた。
【先行技術文献】
【特許文献】
【０００８】
【特許文献１】実用新案登録第３０９０８８２号公報
【特許文献２】実用新案登録第３０９０８８３号公報
【特許文献３】実開平１−９０４６１号公報
【考案の概要】
【考案が解決しようとする課題】
【０００９】
本考案は、従来の額用裏板押え具と同等以上に、煩雑な作業を行うこと無く容易に裏板の押えを完了可能であるとともに、額を激しく動かした場合であっても裏板の押えを維持可能な額用の裏板押え具を提供することを課題としている。
【課題を解決するための手段】
【００１０】
本考案の額用裏板押え具は、
略四角形状に枠組みされたフレームと、該フレーム内に支持される透明体と、該透明体の裏面に備えられる裏板とを具備する額において、前記裏板を前記フレームに固定するために用いられる裏板押え具であって、
前記フレーム裏側の任意の個所に固定される取付ベースと、
該取付ベースに連結される押え部材と、を具備し、
該押え部材は、取付ベースに連結される頭部と、頭部に連設された脚部とを備えて、頭部を取付ベースに連結することで、脚部によって裏板を透明体側に押圧して裏板を押えることを可能にした、ことを特徴としている。
【考案の効果】
【００１１】
本考案の額用裏板押え具では、額におけるフレームの裏側任意の個所に固定される取付ベースと、この取付ベースに連結される押え部材を具備しており、押え部材は、頭部と、この頭部に連設された脚部とを備えて、頭部を取付ベースに連結することで、脚部によって裏板を透明体側に押圧して裏板を押えることとしている。
【００１２】
そのため、本考案によれば、押え部材を取付ベースに連結することのみで、押え部材の脚部により裏板を押えることができるので、煩雑な作業を行うこと無く容易に裏板を押えることが可能である。
【００１３】
また、本考案の額用裏板押え具では、頭部を取付ベースに連結することで、脚部によって裏板を透明体側に押圧して裏板を押えることとしているため、額を激しく動かした場合でも裏板の押えを維持することが可能である。
【００１４】
従って、本考案の額用裏板押え具を用いることにより、煩雑な作業を行うこと無く容易に裏板の押えを完了可能であるとともに、額を激しく動かした場合であっても裏板の押えを維持することが可能である。
【図面の簡単な説明】
【００１５】
【図１】本考案の額用裏板押え具の実施例の正面図である。
【図２】本考案の額用裏板押え具の実施例の背面図である。
【図３】本考案の額用裏板押え具の実施例を構成する押え部材の正面図である。
【図４】本考案の額用裏板押え具の実施例を構成する押え部材の背面図である。
【図５】本考案の額用裏板押え具の実施例を構成する押え部材の底面図である。
【図６】本考案の額用裏板押え具の実施例を構成する押え部材の側面を示す図であり、（ａ）は右側面図、（ｂ）は左側断面図である。
【図７】図４のＡ−Ａ断面図である。
【図８】図４のＢ−Ｂ断面図である。
【図９】図４のＣ−Ｃ断面図である。
【図１０】本考案の額用裏板押え具の実施例を構成する取付ベースを示す図であり、（ａ）は正面図、（ｂ）は左側面図、（ｃ）は正面図のＤ−Ｄ断面図、（ｄ）は平面図、（ｅ）は底面図である。
【図１１】本考案の額用裏板押え具の実施例におけるストッパーを示す図であり、（ａ）は正面図、（ｂ）は背面図、（ｃ）は左側面図である。
【図１２】従来の額を説明するための図であり背面を示している。
【図１３】従来の額を説明するための図であり縦断側面を示している。
【考案を実施するための形態】
【００１６】
本考案の額用裏板押え具は、長尺のフレーム材を略四角形状に枠組みして形成されたフレームと、このフレーム内に支持される透明体と、透明体の裏面に備えられる裏板とを具備する額において、裏板をフレームに固定するために用いられる裏板押え具であって、フレームの裏側任意の個所に固定される取付ベースと、この取付ベースに連結される押え部材を具備している。
【００１７】
そして、押え部材は、取付ベースに連結される頭部を有しており、この頭部には、裏板を押圧する脚部が連設されている。そして、頭部を取付ベースに連結することで、脚部によって、裏板を透明体側に押圧し、それにより、裏板を押えることを可能にしている。
【００１８】
ここで、取付ベースに篏合凸部を具備し、押え部材を構成する頭部には、取付ベースの篏合凸部が嵌合する篏合凹部を裏側に具備し、この篏合凹部に取付ベースの篏合凸部を篏合することで、頭部を取付ベースに連結するとよく、これにより、頭部を取付ベースに連結することが容易となる。
【００１９】
そしてこのとき、篏合凸部に挿入溝を形成するとともに、挿入溝に先端部分が挿入可能なストッパー部材を、押え部材に進退自在に具備し、頭部を取付ベースに連結した状態でストッパー部材を取付ベース側に前進することで、押え部材を取付ベースに固定可能にするとよく、これにより、より強固に、頭部を取付ベースに連結することが容易となる。
【００２０】
更にこのとき、ストッパーに係止部を形成するとともに、押え部材には、ストッパーが前進する際に係止部の通過を阻害するための通過阻止部を形成し、係止部が通過阻止部を通過するまでストッパーを前進させることで、ストッパーの後退を阻止して、取付ベースに押え部材を固定可能にするとよく、これにより、押え部材が取付ベースから外れてしまうことを防止できる。
【実施例１】
【００２１】
本考案の額用裏板押え具（以下単に「裏板押え具」という。）の実施例について図面を参照して説明すると、図１は本実施例の裏板押え具の正面を示した図であり、また図２は本実施例の裏板押え具の背面を示した図であり、図において１が本実施例の裏板押え具である。
【００２２】
そして、本実施例の裏板押え具１は、長尺のフレーム材を略四角形状に枠組みして形成されたフレームと、このフレーム内に支持される透明体と、この透明体の裏面に備えられる裏板とを具備する額において、裏板をフレームに固定するために用いられる裏板押え具としており、フレーム裏側の任意の個所に固定される取付ベースを備えている。
【００２３】
即ち、図２において２が、取り付けベースである。また、図１０は、取付ベース２を示した図であり、図１０において、（ａ）が正面図、（ｂ）が左側面図、（ｃ）が正面図（ａ）におけるＤ−Ｄ線断面図、（ｅ）が底面図、（ｄ）が平面図である。
【００２４】
そして、前記取付ベース２は、楕円状のベース本体３を有しており、このベース本体３には、正面側に向けて嵌合凸部４が突出されている。
【００２５】
また、前記嵌合凸部４には、底面側に挿入溝５が形成されており、上面側には掛止凸部６が突出されている。更に、嵌合凸部４の左右側には、位置決め用のガイド部７が形成されている。なお、図において８は、凸条部である。
【００２６】
次に、図１において１１は、前記取付ベース３に連結される押え部材であり、この押え部材１１は前記取付ベース３に連結されることで、裏板を透明体側に押圧して押さえるために用いられる。
【００２７】
ここで、前記押え部材１１について図を参照して説明すると、図３は正面、図４は背面、図５は底面、図６（ａ）は側面、図６（ｂ）は縦断側面を示している。また、図７は図４におけるＡ−Ａ断面構造、図８は図４におけるＢ−Ｂ断面構造、図９は図４におけるＣ−Ｃ断面構造を、それぞれ示す図である。
【００２８】
そして、本実施例において前記押え部材１１は、前記取付ベース３に連結される頭部を有している。即ち、図において１２が頭部であり、本実施例において前記頭部１２は、正面側に円弧状に凸とした中空状とし、頂点部分は、平面視野が楕円形状の平面としている。
【００２９】
また、前記頭部１２の下側には一対の脚部１３が連結されており、頭部１２を前記取付ベース３に連結することで、脚部１３が、裏板を透明体側に押圧することとしている。そして脚部１３は、頭部１２の下方側に連設される連設部１３ａと、この連設部１３ａの下方において左右側に二股に連設された一対の脚部本体１３ｂとで構成されている。
【００３０】
次に、図４において１４は、前記取付ベース３に形成した嵌合凸部４が嵌合する嵌合凹部１４である。即ち、本実施例において前記頭部１２の裏面には、前記嵌合凸部４の外形寸法とほぼ同じの内径とした壁１５を形成し、その壁の内周側を、嵌合凸部４が嵌合可能な嵌合凹部１４としている。
【００３１】
また、図７に示されるように前記壁１５の内壁には、嵌合凸部４を嵌合凹部１４に嵌合したときに、前記嵌合凸部４の上面側に形成した掛止凸部６が掛止される掛止溝１６が形成されている。そしてこれにより、嵌合凸部４を嵌合凹部１４に嵌合した状態において、嵌合が容易に外れることを防止している。
【００３２】
また、前記壁１５の左右側には、嵌合凸部４を嵌合凹部１４に嵌合したときに、前記嵌合凸部４の左右側に形成した位置決め用のガイド部７が嵌り込む切り欠き１７が形成されており、これにより、嵌合凸部４を嵌合凹部１４に嵌合したときに押え部材１１の位置を固定することを可能にしている。
【００３３】
更に、前記壁１５の底面側には開口部１８が形成されており、この開口部１８は、ストッパー部材の先端部分が挿入される空間としている。
【００３４】
ここで、ストッパー部材について説明すると、図１において２１がストッパー部材である。このストッパー部材２１は、嵌合凸部４を嵌合凹部１４に嵌合したときに、頭部１２が取り付けベース２から外れてしまうことを防止するために用いられる。
【００３５】
このストッパー部材２１について図１１を参照して説明すると、図１１はストッパー部材を示した図であり、（ａ）は正面、（ｂ）は背面、（ｃ）は右側面を示している。そして、このストッパー部材２１は、前記脚部１３における連設部１３ａの裏面に連結されており、上下方向に進退自在としており、前進することで、先端部分が、前記壁１５の底面側に形成した開口部１８を貫通することとしている。
【００３６】
また、嵌合凸部４を嵌合凹部１４に嵌合した状態において、ストッパー部材２１を前進すると、ストッパー部材２１の先端部分は、壁１５の底面側に形成した開口部１８を貫通するとともに、嵌合凸部４の底面側に形成した挿入溝５に挿入される。そうすると、ストッパー部材２１は、壁１５の底面側に形成した開口部１８と嵌合凸部４の底面側に形成した挿入溝５を貫通することで、頭部１２を取付ベース２に強固に固定することが可能となる。
【００３７】
次に、ストッパー部材２１には裏面において、左右側のいずれかの端部分に係止突起１９が形成されている。一方、脚部１３における連設部１３ａの裏面には、ストッパー部材２１を前進させたときに、係止突起１９が前進することを阻止するための通過阻止部が、ストッパー部材側に突出されている（図示せず。）。そして、この通過阻止部は、係止突起１９が前進することを阻止するとともに、係止突起１９が通過阻止部を越えて前進した後は、係止突起１９が通過阻止部を越えて後退することを阻止し、それにより、ストッパー部材１９が外れてしまうことを確実に防止する。従って、嵌合凸部４を嵌合凹部１４に嵌合した状態でストッパー部材２１を前進させ、ストッパー部材２１が壁１５の底面側に形成した開口部１８と嵌合凸部４の底面側に形成した挿入溝５を貫通させることで、頭部１２を取付ベース２に強固に固定するとともに、ストッパー部材２１は、通過阻止部の存在により容易には抜けないこととしている。
【００３８】
次に、このように構成される本実施例の裏板押え具の使用方法について説明すると、本実施例の裏板押え具１を使用するときは、予め、額におけりフレームの裏面の任意の箇所に、取付ベース２を、ネジ、接着剤等で固定しておく。場所は特に限定されないが、図１２においてトンボ３６を取り付けている箇所に水平方向又は垂直方向に取り付け、あるいはコーナー部分に斜め方向に取り付けると良い。なお、本実施例の裏板押え具１を取り付ける額は図１２、１３に示す従来の額３１と同様である。
【００３９】
次に、押え部材１１を取付ベース２に連結する。具体的には、取付ベース２の嵌合凸部４が頭部１２の嵌合凹部１４に嵌合される形態で、押え部材１１を取付ベース２に被せる。そうすると、前記嵌合凸部４の上面側に形成した掛止凸部６が、前記壁１５の内壁に形成した掛止溝１６に掛止され、更に、前記壁１５の左右側に形成した切り欠き１７に、嵌合凸部４の左右側に形成した位置決め用のガイド部７が嵌り込む。そしてこれにより、掛止凸部６が、前記壁１５の内壁に形成した掛止溝１６に掛止されることで、嵌合が容易に外れることが防止されるとともに、切り欠き１７に位置決め用のガイド部７が嵌り込むことで、押え部材１１の位置が固定される。
【００４０】
次に、この状態で、ストッパー部材２１を前進させ、この前進を、係止突１９が通過阻止部を越えて、ストッパー部材２１の先端部分が、壁１５の底面側に形成した開口部１８と嵌合凸部４の底面側に形成した挿入溝５を貫通するまで継続する。そうすると、これにより、頭部１２を取付ベース２に強固に固定することができるとともに、通過阻止部の存在により、ストッパー部材２１が容易に抜けることを防止できる。
【００４１】
このように、本実施例の額用裏板押え具１では、押え部材１１を取付ベース２に連結することのみで、押え部材１１の脚部１３により裏板を押えることができるので、煩雑な作業を行うこと無く容易に裏板を押えることが可能である。
【００４２】
また、本考案の額用裏板押え具では、頭部１２を取付ベース２に連結することで、脚部１３によって裏板を透明体側に押圧して裏板を押えることとしているため、額を激しく動かした場合でも裏板の押えを維持することが可能である。
【００４３】
更に、頭部１２を取付ベース２に連結すると、嵌合凸部４の上面側に形成した掛止凸部６が壁１５の内壁に形成した掛止溝１６に掛止され、更に、壁１５の左右側に形成した切り欠き１７に嵌合凸部４の左右側に形成した位置決め用のガイド部７が嵌り込むため、嵌合が容易に外れることが防止することができる。
【００４４】
更に、ストッパー部材２１を備えているために、頭部１２を取付ベース２に強固に固定することができるとともに、係止突起１９と通過阻止部の存在により、ストッパー部材２１が容易に抜けることを防止できる。
【産業上の利用可能性】
【００４５】
本考案の額用裏板押え具は、煩雑な作業を行うこと無く容易に裏板を押えることを可能としているため、裏板を備える額の全般に適用可能である。
【符号の説明】
【００４６】
１    裏板押え具
２    取付ベース
３    ベース本体
４    嵌合凸部
５    挿入溝
６    掛止凸部
７    ガイド部
８    凸条部
１１    押え部材
１２    頭部
１３    脚部
１３ａ  連設部
１３ｂ  脚部本体
１４    嵌合凹部
１５    壁
１６    掛止溝
１７    切り欠き
１８    開口部
１９    係止突起
２１    ストッパー部材
【図１】
0003227975.tif 000003
【図２】
0003227975.tif 000004
【図３】
0003227975.tif 000005
【図４】
0003227975.tif 000006
【図５】
0003227975.tif 000007
【図６】
0003227975.tif 000008
【図７】
0003227975.tif 000009
【図８】
0003227975.tif 000010
【図９】
0003227975.tif 000011
【図１０】
0003227975.tif 000012
【図１１】
0003227975.tif 000013
【図１２】
0003227975.tif 000014
【図１３】
0003227975.tif 000015